(57)【要約】【課題】先端にあるノズルから皮膚組織に対し垂直に噴射流を噴射して注射する従来の無針注射器は皮膚２０の表面から浅い位置にある所定の治療部位に薬液を広範囲に拡散させる事が困難であった。【解決手段】  ほぼ水平方向に噴射する水平噴射流７Ｎを射出する水平ノズル３Ｎを側面に設けた先端部１１Ｎを無針注射器の先端側に設け、更に、無針注射器の位置決する基準面６より治療部位の深さに応じた所定深さＨを水平ノズル３Ｎの配設位置として構成するので、先端部１１Ｎを皮膚２０の表面に押しつけてカップ状に凹まし、前記の凹んだ皮膚２０の表面を介して皮下組織に水平噴射流７Ｎを噴射するように構成するので、皮膚２０の表面から浅い位置にある所定の治療部位に薬液を広範囲に拡散させる事が出来る無針注射器を提供出来る。【選択図】        図２
2007029669.tif 000002
【特許請求の範囲】
【請求項１】
ほぼ水平方向に噴射する水平噴射流（７Ｎ）を射出する水平ノズル（３Ｎ）を側面に設けた筒状の先端筒部（１１Ｗ）と、ほぼ平坦な底板状の先端底部（１１Ｔ）とを設けた先端部（１１Ｎ）を無針注射器の先端側に設け、更に前記先端筒部（１１Ｗ）にある前記水平ノズル（３Ｎ）の配設位置を無針注射器の位置決する基準面（６）より治療部位の深さに応じた所定深さ（Ｈ）として構成し、前記先端部（１１Ｎ）を皮膚（２０）の表面に押しつけてカップ状に凹まし、前記の凹んだ皮膚（２０）の表面を介して皮下組織に前記水平ノズル（３Ｎ）からの前記水平噴射流（７Ｎ）を噴射して、前記皮膚（２０）の表面から浅い位置にある治療部位に薬液（５）を広い範囲で拡散させる事を特徴とする無針注射器。
【発明の詳細な説明】
【発明の詳細な説明】
【技術分野】
【０００１】    本発明は、医療用に用いられる無針注射器の先端ノズル関し、特にノズルより射出される薬液の噴射流が皮膚の浅い治療部位にほぼ水平方向の広い範囲に拡散させる無針注射器に関する。
【背景技術】
【０００２】    図１（従来の構造と注射作用の説明断面図である）に示す皮下組織の図は、皮膚２０と脂肪層２３と筋肉層２４の厚さの縮尺寸法を本発明の説明を判りやすくする為に上側が大きくなるように可変寸法として示してある。【０００３】また請求項１記載のほぼ水平な方向とは、水平ノズル３Ｎより射出される水平噴射流７Ｎの方向と水平方向との傾きの差の水平差角αが±３０°以下の少ない傾きである方向を言う事にする。更にまた請求項１記載のほぼ平坦とは、平面あるいは先端底部１１Ｔの直径に対し２倍以上の大きなＲ面の平坦に近い面を言う事にする。【０００４】更に本発明の説明では、水平ノズル３Ｎとはほぼ水平に噴射する１ケあるいは複数ケのノズル（Ａノズル３Ａ、Ｂノズル３Ｂ、Ｃノズル３Ｃ、Ｄノズル３Ｄ、・・・）を言う事にする。同様に水平噴射流７Ｎとは１ケあるいは複数ケの噴射流（Ａ噴射流７Ａ、Ｂ噴射流７Ｂ、Ｃ噴射流７Ｃ、Ｄ噴射流７Ｄ，・・・）を言う事にする。【０００５】また同様に水平注入穴８Ｎとは１ケあるいは複数ケの注入穴（Ａ注入穴８Ａ、Ｂ注入穴８Ｂ、Ｃ注入穴８Ｃ、Ｄ注入穴８Ｄ・・・）を言う事にする。更に同様に水平拡散薬液９Ｎとは１ケあるいは複数ケの拡散薬液（Ａ拡散薬液９Ａ、Ｂ拡散薬液９Ｂ、Ｃ拡散薬液９Ｃ、Ｄ拡散薬液９Ｄ・・・）を言う事にする。【０００６】  最初に無針注射器の注射に関連する皮下組織の概要と治療部位を図１を用いて説明する。皮下組織は皮膚２０と脂肪層２３と筋肉層２４より構成されている。脂肪層２３は５〜３０ｍｍの厚さで、皮膚２０は０．４〜１．４ｍｍの厚さと言われている。また皮膚２０は真皮２２との表皮２１とより構成されていて、表皮２１の厚さは薄く０．０５〜０．２ｍｍの厚さと言われている。【０００７】次に薬液５を注射する治療部位について説明する。糖尿病用のインスリンは前記脂肪層２３や筋肉層２４に薬液５を拡散するように注射され、ＤＮＡを利用したワクチン類は皮膚２０の表面より浅い位置（例えば真皮２２）に主に拡散するように注射する事が知られている。このように治療部位は薬液５の種類と治療目的に応じて薬の治療効果の高い効率の良い皮下組織の場所が選ばれる。【０００８】従来の無針注射器は、図１に示すのように、基準面６を有するシリンジ２と駆動部１で構成されていて、前記シリンジ２は薬液５とピストン４とを内装し、その先端には微少な直径の従来ノズル３Ｚが設けらている。また、その先端側には、皮膚２０の表面への押圧で垂直（Ｙ０−Ｙ１）方向へシリンジ２を保持する基準面６と皮膚２０に従来ノズル３Ｚを密着させる為の半球面上の球面先端部１１Ｚが設けられている。【０００９】  注射の時は、皮膚２０の表面に基準面６を押しつける事で球面先端部１１Ｚも押しつけられ、薬液５は従来ノズル３Ｚを介して高速な噴射流の従来噴射流７Ｚとして射出される。この従来噴射流７Ｚは始め密着した表皮２１に従来注入穴８Ｚを穴あけした後、前記穴を介して皮下組織の内部に垂直方向（Ｙ０−Ｙ１）に沿って噴射注入される。【００１０】寒天を溶かして固めたゲルのような硬さが均質な素材に無針注射器で垂直方向に従来噴射流７Ｚを注入した場合は、薬液５は線香花火のように丸く拡散が行われる。【００１１】しかし���下組織は、水平な組織層が多く積み重なっているため垂直方向に比較して水平方向の硬度が柔らかいので図１に示すように水平方向に潰れた楕円状に薬液５の拡散が発生する傾向が有る。実際には組織と組織の隙間に拡散する場合があり形状は複雑で有るが、ここでは説明を判りやすくするために楕円で模式化して表現することにする。【００１２】次に従来噴射流７Ｚの力と拡散について説明する。垂直に噴射する従来噴射流７Ｚの力が過度に強い（例えば１．２ニュ−トン）場合は薬液５を奥深くまで送り込み、脂肪層２３や筋肉層２４に強拡散薬液９Ｚとして拡散する。また従来噴射流７Ｚの力が中位（例えば０．６ニュ−トン）の場合は薬液５は脂肪層２３に中拡散薬液９Ｖとして拡散する。更にまた従来噴射流７Ｚの力が弱い（例えば０．３ニュ−トン）場合は薬液５は真皮２２の近傍に弱拡散薬液９Ｗとして供給される。【００１３】これらの従来の無針注射器の注射作用特性より皮膚２０の浅い位置に薬液５を拡散しようとすると、無針注射器の垂直方向に噴射される従来噴射流７Ｚの力を出来るだけ弱く構成すれば、容易に表皮２１より浅い位置の治療部位に薬液５を拡散出来ると推定される。
【発明が解決しようとする課題】
【００１４】    皮下組織の浅い位置、例えば真皮２２を治療部位とし場合、従来の無針注射器の技術では従来噴射流７Ｚの力を弱く構成すれば良いと前述したが、その場合は図１の弱拡散薬液９Ｗのようにその拡散の大きさは従来噴射流７Ｚの力が弱いために、低圧力の針式注射器の注射のように小さい範囲に薬液５が塊となった状態で注射され、薬液５を広い範囲にまで拡散する事が出来無い。
【００１５】このことは、針式注射器と同様に薬液５が塊となって皮下組織の構造を破壊し圧迫して所謂「水ぶくれ」を発生してしまう。
【００１６】即ちこのことは、皮下組織のダメージ少なく痛みの少ない注射が出来る無針注射器のメリットが全く無くなってしまう事になる。
【００１７】更に従来噴射流７Ｚの力を弱くすると表皮２１の注入穴８Ｚが、切れないドリルで穴あけするように、従来注入穴８Ｚの内径が従来ノズル３Ｚの直径よりも大きくなり皮膚２０のダメージが増加する傾向がある。更に過度に弱くするとその従来注入穴８Ｚの穴あけが出来なくなり、薬液５が皮膚２０の表面にあふれ出て注射が出来なくなることになる。
【００１８】よってワクチン注射のような皮膚２０の表面から浅い位置の治療部位に広範囲に薬液５を拡散させ、皮膚２０のダメージ少なく痛みの少ない無針注射器のメリットを生かした無針注射器を提供することが課題である。
【課題を解決するための手段】
【００１９】  前記の目的を達成するために、本発明は、請求項１に記載したように、ほぼ水平方向に噴射する水平噴射流７Ｎを射出する水平ノズル３Ｎを側面に設けた筒状の先端筒部１１Ｗと、ほぼ平坦な底板状の先端底部１１Ｔとを設けた先端部１１Ｎを無針注射器の先端側に設け、前記先端部１１Ｎを皮膚２０の表面に押しつけてカップ状に凹まし、前記の凹んだ皮膚２０の表面より水平ノズル３Ｎからの水平噴射流７Ｎを噴射するように構成する。
【００２０】このように構成するので表皮２１の表面に基準面６と先端部１１Ｎを押しつけて注射すると、先端部１１Ｎの押圧でカップ状に凹んだ皮膚２０の表面から所定の治療部位に向けて、水平ノズル３Ｎよりほぼ水平方向に水平噴射流７Ｎを噴射でき、治療部位に薬液５を拡散できる。
【００２１】また先端筒部１１Ｗにある水平ノズル３Ｎの配設位置を、無針注射器の位置決する基準面６より治療部位の深さに応じた所定深さＨとして構成するので、薬液５を皮膚２０の表面から浅い位置にある治療部位を「ねらい撃ち」したように水平に広い範囲で拡散させる事ができる。
【００２２】更に本発明の無針注射器は浅い治療部位でも、このように薬液５の拡散ができるので皮下組織のダメージも少く痛みの少ない注射を可能としている。
【発明を実施するための最良の形態】
【００２３】以下、図２〜７の図面を用いて実施例により本発明を詳細に説明する。更に説明の簡素化の為に、各図の共通する部分の付番は同じ付番として実施例毎の説明は省略し、異なる新たな部分についてのみ説明することにする。【００２４】図２は本発明の第１の実施例の構造と注射作用との説明断面図、図３は本発明の第２の実施例の構造と注射作用説明断面図、図４は本発明の第２の実施例の薬液拡散作用の３次元説明図、図５は本発明の第３の実施例の先端構造説明断面図、図６は本発明の第４の実施例の水平差角作用の説明断面、図７は本発明の第５の実施例の可変基準面の構造説明断面図である。【００２５】（第１の実施例）
図２を用いて第１の実施例を説明する。本発明の無針注射器は、請求項１に記載したように、ほぼ水平方向に噴射する水平噴射流７Ｎを射出する水平ノズル３Ｎを側面に設けた筒状の先端筒部１１Ｗと、ほぼ平坦な底板状の先端底部１１Ｔとを設けた先端部１１Ｎを無針注射器の先端側に設けて無針注射器を構成する。【００２６】このように構成するので前記先端部１１Ｎを皮膚２０の表面に押しつけてカップ状に凹まし、前記の凹んだ皮膚２０の表面を介して皮下組織に水平ノズル３Ｎからの水平噴射流７Ｎを噴射して、皮膚２０の表面から浅い位置にある治療部位に薬液５を広い範囲で拡散させる事が出来る。【００２７】また先端筒部１１Ｗにある水平ノズル３Ｎの配設位置は、無針注射器の位置決する基準面６より治療部位の深さに応じた所定深さＨとして無針注射器を構成するので、薬液５を皮膚２０の表面から浅い位置にある治療部位を「ねらい撃ち」したように水平方向の広い範囲に拡散させる事ができる。【００２８】例えば図２のように治療部位を真皮２２としたいときは、所定深さＨを真皮２２の中央の深さに設定する。よって治療部位を「ねらい撃ち」したように水平に水平噴射流７Ｎが噴射されて、薬液５の拡散が水平拡散薬液９Ｎのように真皮２２の中央の深さに広い範囲で水平方向に拡散できる。【００２９】次に水平噴射流７Ｎの力の強弱の作用を説明する。従来は拡散の位置が垂直方向の異なる治療部位（真皮２２から脂肪層２３そして筋肉層２４）へと従来噴射流７Ｚの力により変化したが、実施例１の無針注射器では強くしても筋肉層２４に達するような事もなく目的とする治療部位の中で水平方向の位置が変化するだけである。【００３０】よって水平噴射流７Ｎの力の強弱は任意の値が選べる。よって従来例のように過度に弱くする必要がないので、表皮２１に穴あけする水平注入穴８Ｎは小さく出来、皮膚２０のダメージを少なく出来る。【００３１】更に治療部位が浅い位置でも、水平噴射流７Ｎの力を過度に弱くする必要がないので、針式注射器のような薬液５が塊になる「水ぶくれ」も無く、注射した薬液５は確実に広い範囲に拡散出来るので、皮下組織のダメージ少なく痛みも少ない注射が出来る。【００３２】次に所定深さＨについて説明する。原理的には所定深さＨを大きくすれば、深い位置の治療部位でも狙う事が出来るが、先端底部１１Ｔで表皮２１を深い位置（脂肪層２３に応じた深さ）まで凹ますには強い力が必要であり、その押圧操作だけで注射をしないのに、痛みを強く感じるようになる。従って所定深さＨは真皮２２近傍にとどめた方が良い。（例えば所定深さＨ＜３ｍｍに選ぶ事を薦める）【００３３】図２の制御部１７について補足説明する。シリンジ２内の薬液５は押圧されて先端部１１Ｎの内部に流れ込むが、先端部１１Ｎに設けた制御部１７の内壁の斜面により流れの方向は水平方向に誘導され、また連続的に絞られるのて流速が増加した流れが水平ノズル３Ｎに集中する。従って薬液５は水平ノズル３Ｎより水平噴射流７Ｎとして水平方向に勢いよく噴射できる。【００３４】（第２の実施例）
次に図３を用いて第２の実施例を説明する。基本的には前述の第１の実施例と同様な構造で構成する。ここでは異なる新たな部分について説明する。【００３５】先端部１１Ｎの先端筒部１１Ｗに放射状に等角度で配分した複数の水平ノズル３Ｎ（Ａノズル３Ａ、Ｂノズル３Ｂ、Ｃノズル３Ｃ、Ｄノズル３Ｄの４ケ）を設ける。ここでは４ケの前記ノズルで説明するが、前記ノズルの数は任意の複数の数を選択して放射状に等角度で配分しても良い。【００３６】また、先端部１１Ｎの内部には円錐状の制御部１７を設け、上からの流れを連続的に絞り流速を上げるとともに、円錐面での反射により水平方向の流れを作り水平ノズル３Ｎに集中して供給する。【００３７】このように構成したので、水平ノズル３Ｎより水平方向に複数の噴射流（Ａ噴射流７Ａ、Ｂ噴射流７Ｂ、Ｃ噴射流７Ｃ、Ｄ噴射流７Ｄ）が周囲の四方に向けて噴射される。【００３８】従って押圧によりカップ状に凹んだ表皮２１には複数の注入穴（Ａ注入穴８Ａ、Ｂ注入穴８Ｂ、Ｃ注入穴８Ｃ、Ｄ注入穴８Ｄ）が穴あけされる。【００３９】このように構成されるので、前記の穴を通して水平噴射流７Ｎが水平方向に噴射し、所定深さＨの位置で周囲の治療部位に複数の水平拡散薬液９Ｎ（Ａ拡散薬液９Ａ、Ｂ拡散薬液９Ｂ、Ｃ拡散薬液９Ｃ、Ｄ拡散薬液９Ｄ）が拡散できる。【００４０】次に注射が終了して先端部１１Ｎを皮膚２０から外すと、表皮２１の表面は図４に示すように平坦に戻る。平坦に戻ったときの表皮２１の表面には垂直方向から穴あけしたような複数の水平注入穴８Ｎが放射状の等角度で配設されている事になる。【００４１】また水平注入穴８Ｎを通過して注入され水平噴射流７Ｎの拡散は、表面から真皮２２の中に進むにしたがって周囲に向かって傾斜し始め、真皮２２の内部（所定深さＨ）では周囲の放射状の離れた位置に複数の水平拡散薬液９Ｎが水平に拡散される事になる。【００４２】このように作用するので第２の実施例の無針注射器は、治療部位の内部で水平方向に、しかも広範囲に水平拡散薬液９Ｎが得られる。従って真皮２２など皮膚２０の表面より浅い位置の治療部位に注射する無針注射器（ダメージが少く痛み少ない特徴のある）としては最適で有る。【００４３】更に水平噴射流７Ｎが複数であるので第１の実施例よりも短時間で注射が可能である。また噴射方向が硬度の柔らかい水平方向であるので弱い力でも広い範囲に拡散できる。【００４４】（第３の実施例）
次に図５を用いて第３の実施例を説明する。（異なる新しい部分を説明する。）【００４５】前述の実施例ではシリンジ２の外径より太い径の板状のフランジの下面を基準面６として説明してきた。第３の実施例は、シリンジ２の外径が大きい場合にはシリンジ２の下面をそのまま基準面６として構成できる。【００４６】例へばシリンジ２の外径がφ１４の場合は下面で表皮２１を支えられるので、基準面６とする事が出来る。但し先端底部１１Ｔによって押された部分の皮膚２０のみを凹ます事が出来るように先端底部１１Ｔの直径は基準面６の１／２以下のφ５とする。【００４７】また先端底部１１Ｔの直径はあまり細くすると針式注射器と同様に皮膚２０に刺さってしまい皮下組織にダメージを与えてしまうので好ましくない。ここでは前記のようにφ５としているので刺さる事がない。【００４８】また先端底部１１Ｔの形状は刺さりにくいようにほぼ平坦な形状が良い。第３の実施例では先端底部１１Ｔの直径（φ５）の２倍のＲ面、即ちＲ１０としてほぼ平坦にして居るので皮膚２０に刺さることは無い。【００４９】（第４の実施例）
次に先端筒部１１Ｗと先端底部１１Ｔの形状を非円形とした第４の実施例につい図５を用いて説明する。【００５０】複数の水平ノズル３Ｎがある先端筒部１１Ｗの壁面外周を半円形形状の複数の凸壁面１４で構成する。また図５のＸ０−Ｘ１断面図のように凸壁面の直径の大きな先端に水平ノズル３Ｎを設ける。【００５１】このように構成するので、押圧して凹んだ表皮２１と複数の水平ノズル３Ｎとの密着度を向上させることが出来、注射の損失を少なく出来る。【００５２】また水平ノズル３Ｎのある先端筒部１１Ｗの壁面内周は内径が大とし、水平ノズル３Ｎの間の内径は小となるように非円形状で非円形内壁１６を先端筒部１１Ｗに構成する。【００５３】また先端底部１１Ｔには円錐状の制御部１７を設ける。従って前記制御部１７と内径変化している凹凸の前記非円形内壁１６との間で、内部の流れを複数の水平ノズル３Ｎへ集中誘導できる。【００５４】即ち、流れの入り口側（Ｘ２−Ｘ３断面図参照）では、流路の断面積は、ほとんど非円形内壁１６の凹凸だけであるが、複数の水平ノズル３Ｎの付近（Ｘ０−Ｘ１断面図参照）の流れは制御部１７の大きくなった外径と非円形内壁１６の内径の狭い部分では遮られ、非円形内壁１６の内径の大きな部分では絞られた流路を作る事ができる。【００５５】従って前記の絞られた流賂に集中誘導された流れは、水平方向に向かって設けた水平ノズル３Ｎに高速流を与える事になり、水平方向に強い力の水平噴射流７Ｎを発生させる事ができる。よつて、このように構成するので先端部１１Ｎのみの改良で、浅い位置にある治療部位に適した無針注射器を容易に提供できる。【００５６】（第４の実施例）
次に水平噴射流７Ｎが水平よりわずか傾斜した例を第４の実施例として図６を用いて説明する。【００５７】いま水平噴射流７Ｎが水平より傾斜している角度を水平差角αと言うことにする。この水平差角αが大きすぎると、水平噴射流７Ｎが傾斜して進む為に離れた所では水平拡散薬液９Ｎが所定深さＨより異なる深さの傾斜深さＨａになり狙った治療部位の中央に水平拡散薬液９Ｎを拡散させる事が出来なくなる。【００５８】よって、この水平差角αはほぼ水平の範囲の±３０°以下に設定する。図６は水平差角αを−１５°とし真皮２２の下方の治療部位を斜め上側より狙った例を図６で示している。  図示は省略するが、水平差角αを＋１５°として、所定深さＨより斜め上に水平噴射流７Ｎを噴射して下側から表皮２１の裏側（真皮２２の上側）の治療部位をを狙うことも出来る。【００５９】しかし所定深さＨで治療部位の中央に水平拡散薬液９Ｎを作るように狙い打ちをするためには、噴射流の到達距離に応じたズレに関係する水平差角αは出来るだけ少ない方が良い。【００６０】（第５の実施例）
次に第５の実施例として可変基準面について図７を用いて説明する。【００６１】第１・２・３・４の実施例では基準面６と水平ノズル３Ｎの位置が所定深さＨに固定されていた。第５の実施例は基準面６を有するドーナツ状の可変基準面リング１３を設け、シリンジ２の外周とネジで上下に可動可能に構成する。【００６２】このように構成するので可変基準面リング１３を上下に移動して任意深さＨｎを設定できるので、水平噴射流７Ｎを水平に噴射して水平拡散薬液９Ｎを任意の深さの治療部位の中央に拡散する事が容易となる。【００６３】前記の任意深さＨｎは、第１の実施例で説明した所定深さＨと同様に過度に深い値は好ましくない。例えば第５の実施例では０．０５ｍｍ〜３ｍｍを任意深さＨｎとしているので皮膚２０の範囲の治療部位に痛みを伴わずに注射する事ができる。【００６４】図７では可変基準面リング１３をねじで可変するように説明したが、数種類の厚さのドーナツ状の補助リングを設け、前記補助リングを選択して固定した基準面６の下面に取り付けて任意深さＨｎに合わせても良い。例えば図５の第３の実施例で所定深さＨを３ｍｍで作った場合は、厚さ２ｍｍの補助リングを基準面６の下に取り付けて前記補助リングの下面を基準位置として皮膚２０に押しつければ任意深さＨｎを１ｍｍとして対応出来る。（図面省略）【００６５】本発明は趣旨を逸脱しない範囲で色々と展開出来ることは言うまでもない。例えば表皮２１のダメージを少なくするために水平ノズル１１Ｎの直径をφ０．１以下として先端部１１Ｎに水平ノズル３Ｎを１８ヶを配設して、真皮２２の水平方向に互いの拡散が重なった太陽のコロナ状に水平拡散薬液９Ｎを拡散しても良い。（図示省略）
【発明の効果】
【００６６】本発明の無針注射器は上記のように構成されているので以下の効果がある。
【００６７】複数ノズルを用いた場合は、注射量が多い場合でも短時間に注射する事ができる。また拡散薬液が放射状に水平方向に拡散できるので、真皮など薄い治療部位の内部で水平方向の広い範囲に薬液を拡散させる事が出来る。
【００６８】本発明の無針注射器はノズルの数に無関係に以下の効果がある。
【００６９】凹んだ表皮から所定深さにほぼ水平に噴射流が与えられるので、所定の深さを選ぶことにより、容易に浅い位置にある治療部位への薬液拡散の「ねらい撃ち」が容易である。
【００７０】更に皮下組織は水平方向の硬さが柔らかいので、ほぼ水平に噴射流を与える本発明の無針注射器は、表皮を通過した噴射薬液を容易に広い範囲に拡散できる。（従来は、皮下組織の硬い方向の垂直方向に噴射流を与えていた。）
【００７１】従来は噴射流の力を強くすると筋肉にまで達するなど、治療部位と異なる不必要な場所に拡散する事が有ったが、噴射流がほぼ水平に与えられるので、噴射流の強さは「ねらい撃ち」した治療部位の内部での水平拡散の大きを変化させるだけである。従って水平方向の治療部位での薬液拡散の大きさを噴射流の力で任意に制御できる。
【００７２】噴射流の力を任意に強く出来るので注入穴の穴あけが容易となり、ノズルの直径とほぼ同じ小さな直径で注入穴をあけることも出来、皮膚のダメージを少なく、痛みの少ない注射が出来る。
【００７３】治療部位に薬液を拡散して与える事が容易なので、「水ぶくれ」のように皮下組織の構造を損なうような現象がないので、皮膚のダメージ少なく痛みの少ない注射が出来る。
【００７４】無針注射器の先端部だけの簡単な構造で目的を達しうるので、本体側（駆動部など）に手を付けずに浅い位置の治療部位用の無針注射器を容易に製作できる。
【００７５】あらかじめワクチンなどを充填した無針注射器を１回の使用で駆動本体ごと廃棄する所謂プレフィールド無針注射器にも、目的を達しうる構造が簡単であるので容易に、しかも廉価に、適用で出来る。
【００７６】本発明は簡単な構造で以上のような効果があるので、表皮から浅い位置にある治療部位への注射（ワクチン注射など）を可能とし、無針注射器のメリットを最大限に発揮した優れた無針注射器を提供できる。
【図面の簡単な説明】
【図１】従来の構造と注射作用との説明断面図である。
【図２】本発明の第１の実施例の構造と注射作用との説明断面図である。
【図３】本発明の第２の実施例の構造と注射作用説明断面図である。
【図４】本発明の第２の実施例の薬液拡散作用の３次元説明図である。
【図５】本発明の第３の実施例の先端構造説明断面図である。
【図６】本発明の第４の実施例の水平差角作用の説明断面図である。
【図７】本発明の第５の実施例の可変基準面の構造説明断面図である。
【符号の説明】
１      駆動部
２      シリンジ
３Ａ    Ａノズル
３Ｂ    Ｂノズル
３Ｃ    Ｃノズル
３Ｄ    Ｄノズル
３Ｎ    水平ノズル
３Ｚ    従来ノズル
４      ピストン
５      薬液
６      基準面
７Ａ    Ａ噴射流
７Ｂ    Ｂ噴射流
７Ｃ    Ｃ噴射流
７Ｄ    Ｄ噴射流
７Ｎ    水平噴射流
７Ｚ    従来噴射流
８Ａ    Ａ注入穴
８Ｂ    Ｂ注入穴
８Ｃ    Ｃ注入穴
８Ｄ    Ｄ注入穴
８Ｎ    水平注入穴
８Ｚ    従来注入穴
９Ａ    Ａ拡散薬液
９Ｂ    Ｂ拡散薬液
９Ｃ    Ｃ拡散薬液
９Ｄ    Ｄ拡散薬液
９Ｎ    水平拡散薬液
９Ｗ    弱拡散薬液
９Ｖ    中拡散薬液
９Ｚ    強拡散薬液
１１Ｔ  先端底部
１１Ｗ  先端筒部
１１Ｚ  球面先端部
１１Ｎ  先端部
１３    可変基準面リング
１４    凸壁面
１６    非円形内壁
１７    制御部
２０    皮膚
２１    表皮
２２    真皮
２３    脂肪層
２４    筋肉層
Ｈ      所定深さ
Ｈｎ    任意深さ
Ｈａ    傾斜深さ
Ｘ０−Ｘ１    水平方向  （Ｘ０−Ｘ１断面）
Ｘ２−Ｘ３              （Ｘ２−Ｘ３断面）
Ｙ０−Ｙ１    垂直方向
α      水平差角
【図１】
2007029669.tif 000003
【図２】
2007029669.tif 000004
【図３】
2007029669.tif 000005
【図４】
2007029669.tif 000006
【図５】
2007029669.tif 000007
【図６】
2007029669.tif 000008
【図７】
2007029669.tif 000009